(57)【要約】【課題】  本発明は、フィールド数変換装置に関し、例えば映像信号のフォーマット変換装置に適用して、簡易な構成により多様なフィールド数変換処理に柔軟に対応することができるようにする。【解決手段】  本発明は、入力映像信号Ｓ１及び出力映像信号Ｓ４にそれぞれ同期した同期信号ＲＥＦ１、ＲＥＦ２を用いて、入力映像信号Ｓ１に対する出力映像信号Ｓ４のフィールド位相を検出してフィールド内挿に係る内挿比Ａ、（１−Ａ）を計算する。【選択図】        図１
2006081047.tif 000002
【特許請求の範囲】
【請求項１】
フィールド内挿により入力映像信号のフィールド数を変換して出力映像信号により出力するフィールド数変換装置において、
前記入力映像信号及び出力映像信号にそれぞれ同期した同期信号を用いて、前記入力映像信号に対する前記出力映像信号のフィールド位相を検出して、前記フィールド内挿に係る内挿比を計算する位相差検出手段を有する
ことを特徴とするフィールド数変換装置。
【請求項２】
前記位相差検出手段が、
前記入力映像信号に同期した同期信号により、前記入力映像信号の１フィールドの期間を計測する第１の時間計測手段と、
前記入力映像信号及び出力映像信号にそれぞれ同期した同期信号により、前記入力映像信号のフィールドの開始のタイミングから、前記出力映像信号のフィールドの開始のタイミングまでの期間を時間計測する第２の時間計測手段と、
前記第２の時間計測手段による計測結果を前記第１の時間計測手段による計測結果により割り算して、前記フィールド内挿に係る内挿比を計算する演算手段とである
ことを特徴とする請求項１に記載のフィールド数変換装置。
【請求項３】
前記第１の時間計測手段が、
前記入力映像信号に同期した同期信号を基準にして、所定のクロックをカウントしてカウント値を出力するアップカウンタと、
前記入力映像信号に同期した同期信号を基準にして、前記アップカウンタのカウント値を取得して前記計測結果を出力する保持回路とであり、
前記第２の時間計測手段が、
前記出力映像信号に同期した同期信号を基準にして、前記アップカウンタのカウント値を取得して前記計測結果を出力する保持回路である
ことを特徴とする請求項２に記載のフィールド数変換装置。
【発明の詳細な説明】
【技術分野】
【０００１】
本発明は、フィールド数変換装置に関し、例えば映像信号のフォーマット変換装置に適用することができる。本発明は、入力映像信号及び出力映像信号にそれぞれ同期した同期信号を用いて、入力映像信号に対する出力映像信号のフィールド位相を検出してフィールド内挿に係る内挿比を計算することにより、簡易な構成により多様なフィールド数変換処理に柔軟に対応することができるようにする。
【背景技術】
【０００２】
従来、フィールド数変換装置は、フォーマット変換装置等の各種の映像信号処理装置に適用されて、映像信号のフィールド数を種々に変換する場合に使用されるようになされている。このフィールド数変換回路は、図３に示すように、連続する２フィールドの映像信号より内挿フィールドの映像信号を作成することにより、フィールド数を変換するようになされている。
【０００３】
すなわちフィールド数変換装置１において、フレームメモリ（ＦＭ）２は、処理対象の入力映像信号Ｓ１を順次入力して現フィールドの映像信号Ｓ２を出力し、またこの現フィールドの映像信号Ｓ２に対して１フィールドだけ遅延した前フィールドの映像信号Ｓ３を出力する。
【０００４】
内挿比テーブル３は、内挿演算の処理に供する内挿比を記録して保持し、図示しない制御回路の制御により保持した内挿比Ａ、（１−Ａ）を順次循環的に出力する。ここで制御回路は、入力映像信号Ｓ１のフィールド周波数と出力映像信号Ｓ４とのフィールド周波数の比率から、これら入力映像信号Ｓ１と出力映像信号Ｓ４とでフィールドが一致するタイミングを検出し、この一致するタイミングを基準にして保持した内挿比Ａ、（１−Ａ）を順次出力するように内挿比テーブル３の動作を制御する。
【０００５】
乗算回路４、５は、この内挿比Ａ、（１−Ａ）によりそれぞれ現フィールドの映像信号Ｓ２、前フィールドの映像信号Ｓ３を乗算して出力し、加算回路７は、これら乗算回路４、５の乗算結果を加算して出力する。これによりフィールド数変換装置１は、乗算回路４、５、加算回路７によりフィールド内挿の処理を実行して、フィールド数を変換した出力映像信号Ｓ４を出力する。
【０００６】
このようなフィールド数変換装置に関して、例えば特開平１０−２３３７４号公報には、揺らぎを防止する方法が提案されている。
【０００７】
ところでこのように内挿比テーブル３に保持した内挿比により内挿演算してフィールド数を変換する場合、フィールド数変換の種類毎に、内挿比テーブル３に内挿比を設定することが必要なことにより、フィールド数変換の種類が増大すると内挿比テーブル３の構成が大型化する。また入力映像信号Ｓ１のフィールド周波数と出力映像信号Ｓ４とのフィールド周波数との差が小さい場合には、内挿比テーブル３に記録する内挿比の数が増大することになり、この場合も内挿比テーブルの構成が大型化する。
【０００８】
これらにより従来構成によるフィールド数変換装置は、簡易な構成により多様なフィールド数変換処理に柔軟に対応することが困難な問題があった。
【特許文献１】特開平１０−２３３７４号公報
【発明の開示】
【発明が解決しようとする課題】
【０００９】
本発明は以上の点を考慮してなされたもので、簡易な構成により多様なフィールド数変換処理に柔軟に対応することができるフィールド数変換装置を提案しようとするものである。
【課題を解決するための手段】
【００１０】
かかる課題を解決するため請求項１の発明においては、フィールド内挿により入力映像信号のフィールド数を変換して出力映像信号により出力するフィールド数変換装置に適用して、前記入力映像信号及び出力映像信号にそれぞれ同期した同期信号を用いて、前記入力映像信号に対する前記出力映像信号のフィールド位相を検出して、前記フィールド内挿に係る内挿比を計算する位相差検出手段を有するようにする。
【００１１】
また請求項２の発明においては、請求項１の構成において、前記位相差検出手段が、前記入力映像信号に同期した同期信号により、前記入力映像信号の１フィールドの期間を計測する第１の時間計測手段と、前記入力映像信号及び出力映像信号にそれぞれ同期した同期信号により、前記入力映像信号のフィールドの開始のタイミングから、前記出力映像信号のフィールドの開始のタイミングまでの期間を時間計測する第２の時間計測手段と、前記第２の時間計測手段による計測結果を前記第１の時間計測手段による計測結果により割り算して、前記フィールド内挿に係る内挿比を計算する演算手段とであるようにする。
【００１２】
また請求項３の発明においては、請求項２の構成において、前記第１の時間計測手段が、前記入力映像信号に同期した同期信号を基準にして、所定のクロックをカウントしてカウント値を出力するアップカウンタと、前記入力映像信号に同期した同期信号を基準にして、前記アップカウンタのカウント値を取得して前記計測結果を出力する保持回路とであり、前記第２の時間計測手段が、前記出力映像信号に同期した同期信号を基準にして、前記アップカウンタのカウント値を取得して前記計測結果を出力する保持回路であるようにする。
【００１３】
請求項１の構成により、フィールド内挿により入力映像信号のフィールド数を変換して出力映像信号により出力するフィールド数変換装置に適用して、前記入力映像信号及び出力映像信号にそれぞれ同期した同期信号を用いて、前記入力映像信号に対する前記出力映像信号のフィールド位相を検出して、前記フィールド内挿に係る内挿比を計算する位相差検出手段を有するようにすれば、入力映像信号のフィールド周波数、出力映像信号のフィールド周波数が種々に異なる場合でも、内挿比を適切に設定してフィールド内挿することができ、これにより簡易な構成により多様なフィールド数変換処理に柔軟に対応することができる。
【００１４】
また請求項２の構成により、請求項１の構成において、前記位相差検出手段が、前記入力映像信号に同期した同期信号により、前記入力映像信号の１フィールドの期間を計測する第１の時間計測手段と、前記入力映像信号及び出力映像信号にそれぞれ同期した同期信号により、前記入力映像信号のフィールドの開始のタイミングから、前記出力映像信号のフィールドの開始のタイミングまでの期間を時間計測する第２の時間計測手段と、前記第２の時間計測手段による計測結果を前記第１の時間計測手段による計測結果により割り算して、前記フィールド内挿に係る内挿比を計算する演算手段とであるようにすれば、より具体的な構成により内挿比を検出することができる。
【００１５】
また請求項３の構成により、請求項２の構成において、前記第１の時間計測手段が、前記入力映像信号に同期した同期信号を基準にして、所定のクロックをカウントしてカウント値を出力するアップカウンタと、前記入力映像信号に同期した同期信号を基準にして、前記アップカウンタのカウント値を取得して前記計測結果を出力する保持回路とであり、前記第２の時間計測手段が、前記出力映像信号に同期した同期信号を基準にして、前記アップカウンタのカウント値を取得して前記計測結果を出力する保持回路であるようにすれば、第１及び第２の時間計測手段でカウンタを共用化して内挿比を検出することができる。
【発明の効果】
【００１６】
本発明によれば、簡易な構成により多様なフィールド数変換処理に柔軟に対応することができる。
【発明を実施するための最良の形態】
【００１７】
以下、適宜図面を参照しながら本発明の実施例を詳述する。
【実施例１】
【００１８】
（１）実施例の構成
図１は、本発明の実施例に係るフィールド数変換装置を示すブロック図である。このフィールド数変換装置１１は、入力映像信号Ｓ１のフィールド数を変換して出力映像信号Ｓ４により出力する。ここでこのフィールド数変換装置１１は、乗算回路４、５、加算回路６によるフィールド内挿によりフィールド数を変換し、このフィールド内挿に係る内挿比Ａ、（１−Ａ）を位相差検出回路１２により計算する。
【００１９】
ここで図２は、この位相差検出回路１２を詳細に示すブロック図である。この位相差検出回路１２は、入力映像信号Ｓ１、出力映像信号Ｓ４のフィールド周期にそれぞれ同期した同期信号ＲＥＦ１及びＲＥＦ２が入力され、これら同期信号ＲＥＦ１及びＲＥＦ２により入力映像信号Ｓ１に対する出力映像信号Ｓ４のフィールド位相を検出して内挿比Ａ、（１−Ａ）を計算する。
【００２０】
すなわちこの位相差検出回路１２において、アップカウンタ１３は、同期信号ＲＥＦ１を基準にして所定のクロックをアップカウントすることにより、入力映像信号Ｓ１の各フィールドの開始のタイミングでカウント値をリセットして各フィールドの長さを時間計測する。
【００２１】
保持回路１４は、同期信号ＲＥＦ１を基準にしてアップカウンタ１３のカウント値を取り込んで保持することにより、アップカウンタ１３によるクロックを基準にした入力映像信号Ｓ１の１フィールドの期間の時間計測結果を取得して保持する。
【００２２】
保持回路１５は、出力映像信号Ｓ４に同期した同期信号ＲＥＦ２を基準にしてアップカウンタ１３のカウント値を取り込んで保持することにより、アップカウンタ１３のクロックを基準にした時間計測により、入力映像信号Ｓ１のフィールド開始のタイミングから続く出力映像信号Ｓ２のフィールド開始のタイミングまでの期間を計測して保持する。
【００２３】
割り算・正規化回路１６は、保持回路１４に保持されたカウント値により保持回路１５に保持されたカウント値を割り算する。これにより割り算・正規化回路１６は、入力映像信号Ｓ１の１フィールドの期間を値１に設定して、この入力映像信号Ｓ１のフィールド開始のタイミングから続く出力映像信号Ｓ２のフィールド開始のタイミングまでの期間を正規化し、この正規化した割り算値を前フィールドの映像信号Ｓ３に対する内挿比Ａに設定する。また値１からこの内挿比Ａを減算した値（１−Ａ）を現フィールドの映像信号Ｓ２に対する内挿比に設定し、これら内挿比Ａ、（１−Ａ）を乗算回路４、５にそれぞれ出力する。
【００２４】
これらによりこの実施例において、アップカウンタ１３、保持手段１４は、入力映像信号Ｓ１に同期した同期信号ＲＥＦ１により、入力映像信号Ｓ１の１フィールドの期間を計測する第１の時間計測手段を構成し、またアップカウンタ１３、保持手段１５は、入力映像信号Ｓ１及び出力映像信号Ｓ４にそれぞれ同期した同期信号ＲＥＦ１、ＲＥＦ２により、入力映像信号Ｓ１のフィールドの開始のタイミングから、出力映像信号Ｓ４の開始のタイミングまでの期間を時間計測する第２の時間計測手段を構成し、割り算・正規化回路１６は、この第２の時間計測手段による計測結果を第１の時間計測手段による計測結果により割り算して、フィールド内挿に係る内挿比を計算する演算手段を構成するようになされている。
【００２５】
（２）実施例の動作
以上の構成において、この映像信号処理装置１１において（図１）、順次入力される入力映像信号Ｓ１は、フレームメモリ２を介して現フィールドの映像信号Ｓ２として乗算回路４に入力され、またフレームメモリ２により現フィールドの映像信号Ｓ２より１フィールドの期間だけ遅延されて前フィールドの映像信号Ｓ３として乗算回路５に入力され、これら現フィールド及び前フィールドの映像信号Ｓ２及びＳ３がそれぞれ内挿比（１−Ａ）、Ａにより乗算された後、加算回路６により加算され、これによりフィールド内挿によりフィールド数を変換して出力映像信号Ｓ４により出力される。
【００２６】
これらの処理において、この映像信号処理装置１１においては、入力映像信号Ｓ１に同期した同期信号ＲＥＦ１と、出力映像信号Ｓ４に同期した同期信号ＲＥＦ２を用いて、位相差検出回路１２により、入力映像信号Ｓ１に対する出力映像信号Ｓ４のフィールド位相が検出され、フィールド内挿に係る内挿比Ａ、（１−Ａ）が求められる。
【００２７】
これによりこの映像信号処理装置１１では、種々のフィールド周波数の入力映像信号Ｓ１を入力して、種々のフィールド周波数による出力映像信号Ｓ４を出力する場合でも、何ら構成を変更することなく、単にフィールド位相を検出するだけの簡易な構成によりフィールド数を変換することができ、これにより簡易な構成により多様なフィールド数変換処理に柔軟に対応することができる。
【００２８】
これらの処理において、映像信号処理装置１１では、アップカウンタ１３、保持手段１４による第１の時間計測手段において、入力映像信号Ｓ１に同期した同期信号ＲＥＦ１により、入力映像信号Ｓ１の１フィールドの期間が時間計測され、またアップカウンタ１３、保持手段１５による第２の時間計測手段において、入力映像信号Ｓ１及び出力映像信号Ｓ４にそれぞれ同期した同期信号ＲＥＦ１、ＲＥＦ２により、入力映像信号Ｓ１のフィールドの開始のタイミングから、出力映像信号Ｓ４の開始のタイミングまでの期間が時間計測され、割り算・正規化回路１６による演算手段において、第２の時間計測手段による計測結果を第１の時間計測手段による計測結果により割り算して、フィールド内挿に係る内挿比が計算される。
【００２９】
これによりこの映像信号処理装置１１では、第１及び第２の時間計測手段において、アップカウンタ１３を共用化することができ、その分、全体構成を簡略化することができる。
【００３０】
（３）実施例の効果
以上の構成によれば、入力映像信号及び出力映像信号にそれぞれ同期した同期信号を用いて、入力映像信号に対する出力映像信号のフィールド位相を検出してフィールド内挿に係る内挿比を計算することにより、簡易な構成により多様なフィールド数変換処理に柔軟に対応することができる。
【００３１】
より具体的に、入力映像信号に同期した同期信号により入力映像信号の１フィールドの期間を時間計測すると共に、入力映像信号及び出力映像信号にそれぞれ同期した同期信号により、入力映像信号のフィールドの開始のタイミングから、出力映像信号の開始のタイミングまでの期間を時間計測し、これら２つの時間計測結果によりフィールド内挿に係る内挿比を計算することにより、簡易な構成で、多様なフィールド数変換処理に柔軟に対応することができる。
【００３２】
またこのような２つの時間計測において、時間計測のカウンタを共用することにより、全体構成を簡略化することができる。
【実施例２】
【００３３】
なお上述の実施例においては、それぞれ入力映像信号Ｓ１及び出力映像信号Ｓ４に同期した同期信号ＲＦＥ１、ＲＥＦ２を保持回路１４及び１５の動作基準に設定する場合について述べたが、本発明はこれに限らず、これらの同期信号ＲＦＥ１、ＲＥＦ２を入れ換えて保持回路１４及び１５の動作基準に設定するようにしてもよい。但しこの場合、保持回路１４、１５に保持された時間計測結果を別途処理することが必要になる。
【産業上の利用可能性】
【００３４】
本発明は、例えば映像信号のフォーマット変換装置に適用することができる。
【図面の簡単な説明】
【００３５】
【図１】本発明の実施例に係る映像信号処理装置を示すブロック図である。
【図２】図１の映像信号処理装置の位相差検出回路を示すブロック図である。
【図３】従来の映像信号処理装置を示すブロック図である。
【符号の説明】
【００３６】
１、１１……映像信号処理装置、２……フレームメモリ、４、５……乗算回路、６……加算回路、１２……位相差検出回路、１３……アップカウンタ、１４、１５……保持回路、１６……割り算・正規化回路
【図１】
2006081047.tif 000003
【図２】
2006081047.tif 000004
【図３】
2006081047.tif 000005